(57)【要約】      （修正有）【課題】液体吐出ヘッドにおいて、小型化した第一プレートを備えることができる技術を提供する。【解決手段】液体吐出ヘッドは、流路基板３０と、第一プレート５２および第二プレート４０とを備える。第一プレートは、液体を吐出させるノズルを備える。流路基板は、流路基板を厚み方向に貫通し第一プレート側と第二プレート側とのそれぞれに開口を有する第一連通路１３４と、第一連通路の第一プレート側の開口と第一プレート側で連通し第二プレート側に延伸する第二連通路１３６と、を備える。第一連通路側に連通する圧力室と圧力室に液体を流通する第一流路とが、第二プレートの一部と流路基板の一部とによって形成される。第二プレートには、圧力室に面した第二プレートの一部を変形させる圧力発生部が設けられる。第二連通路には、液体を流通させる第二流路１３７が連通される。【選択図】図４
2020001306.tif 000002
【特許請求の範囲】
【請求項１】
液体を吐出する液体吐出ヘッドであって、
前記液体を流通させる流路基板と、
前記流路基板の両面に、互いに対向する位置に取付けられた第一プレートおよび第二プレートと、を備え、
前記第一プレートは、前記液体を吐出させるノズルを備え、
前記流路基板は、
前記流路基板を厚み方向に貫通し、前記第一プレート側と前記第二プレート側とのそれぞれに開口を有する第一連通路と、
前記第一連通路の前記第一プレート側の前記開口と前記第一プレート側で連通し、前記第二プレート側に延伸する第二連通路と、を備え、
前記第一連通路に連通する圧力室と前記圧力室に前記液体を流通する第一流路とが、前記第二プレートの一部と前記流路基板の一部とによって形成され、
前記第二プレートには、前記圧力室に面した前記第二プレートの一部を変形させる圧力発生部が設けられ、
前記流路基板の前記第二連通路には、前記第二プレートの一部と前記流路基板の一部との少なくとも一方により形成されて、前記液体を流通させる第二流路が連通された、
液体吐出ヘッド。
【請求項２】
請求項１に記載の液体吐出ヘッドであって、
前記第一流路、前記圧力室、前記第一連通路、前記ノズル、前記第二連通路、前記第二流路を含む液体吐出部が、複数組備えられた、液体吐出ヘッド。
【請求項３】
請求項２に記載の液体吐出ヘッドであって、
前記流路基板は、複数組の前記液体吐出部の前記第一流路のそれぞれに連通する第一共通流路を備え、
前記第一共通流路は、前記第一流路に対して前記圧力室とは反対側に設けられた、液体吐出ヘッド。
【請求項４】
請求項３に記載の液体吐出ヘッドであって、
前記第一共通流路には、前記第一共通流路内の前記液体の圧力変動を緩和する吸振体が、前記第一共通流路の内壁の一部となる位置に配設された、液体吐出ヘッド。
【請求項５】
請求項２から請求項４のいずれか一項に記載の液体吐出ヘッドであって、
前記流路基板は、複数組の前記液体吐出部の前記第二流路のそれぞれに連通する第二共通流路を備え、
前記第二共通流路は、前記第二流路に対して前記第二連通路とは反対側に設けられた、液体吐出ヘッド。
【請求項６】
請求項５に記載の液体吐出ヘッドであって、
前記第二共通流路には、前記第二共通流路内の前記液体の圧力変動を緩和する吸振体が、前記第二共通流路の内壁の一部となる位置に配設された、液体吐出ヘッド。
【請求項７】
請求項２から請求項６のいずれか一項に記載の液体吐出ヘッドであって、
更に、前記第一連通路と、前記第二連通路との少なくともいずれか一方に前記液体を給排する流路を含むケース部材を備えた、液体吐出ヘッド。
【請求項８】
請求項１から請求項７のいずれか一項に記載の液体吐出ヘッドであって、
前記第二流路は、前記流路基板と前記第二プレートとの間に形成され、前記第二プレートの面方向に沿って延びる、液体吐出ヘッド。
【請求項９】
請求項８に記載の液体吐出ヘッドであって、
前記流路基板は、前記第二流路と連通し前記第二プレート側から前記第一プレート側へ延伸する第三流路、を備える、液体吐出ヘッド。
【請求項１０】
請求項８または請求項９に記載の液体吐出ヘッドであって、
前記流路基板は、前記流路基板と前記第二プレートとが積層された方向における厚さが、前記第二プレートの前記厚さよりも大きく、
前記第二流路は、前記流路基板に設けられた溝により形成される、液体吐出ヘッド。
【請求項１１】
請求項１から請求項１０のいずれか一項に記載の液体吐出ヘッドであって、
前記流路基板は、前記第二連通路の前記第一プレート側の端部と、前記第一連通路の前記第一プレート側の前記開口とを接続する個別供給路を備え、
前記ノズルは、前記個別供給路と接続された、液体吐出ヘッド。
【請求項１２】
請求項１から請求項１１のいずれか一項に記載の液体吐出ヘッドと、
前記液体を、前記流路基板内を通過させて移動させる流動機構と、
を備える、液体吐出装置。
【発明の詳細な説明】
【技術分野】
【０００１】
本開示は、液体吐出ヘッドおよび液体吐出装置に関する。
【背景技術】
【０００２】
ノズルから液体を吐出させる液体吐出装置の液体吐出ヘッドでは、液体の貯留室となる共通流路と、ノズルの数に応じた個別流路とを接続した流路を形成する必要がある。例えば、特許文献１では、ノズルを有するノズルプレートと、内部に流路を備える流路基板と、圧力室を有する圧力室基板とによって流路を構成した液体吐出ヘッドが示されている。
【先行技術文献】
【特許文献】
【０００３】
【特許文献１】特開２０１２−１４３９４８号公報
【発明の概要】
【発明が解決しようとする課題】
【０００４】
従来の技術では、流路基板内の流路の壁面がノズルプレートによって構成される場合がある。このような場合、ノズルプレートによって複数の流路の壁面を構成すると、ノズルプレートが大型化してしまうおそれがある。また、ノズルプレート以外の部材で複数の流路の壁面を構成する場合には、例えば別の流路基板を積層することになり、部品点数が多くなるという問題があった。
【課題を解決するための手段】
【０００５】
本開示の一形態によれば、液体を吐出する液体吐出ヘッドが提供される。この液体吐出ヘッドは：前記液体を流通させる流路基板と；前記流路基板の両面に、互いに対向する位置に取付けられた第一プレートおよび第二プレートと；を備える。前記第一プレートは、前記液体を吐出させるノズルを備える。前記流路基板は：前記流路基板を厚み方向に貫通し、前記第一プレート側と前記第二プレート側とのそれぞれに開口を有する第一連通路と；前記第一連通路の前記第一プレート側の前記開口と前記第一プレート側で連通し、前記第二プレート側に延伸する第二連通路と；を備える。前記第一連通路に連通する圧力室と前記圧力室に前記液体を流通する第一流路とが、前記第二プレートの一部と前記流路基板の一部とによって形成されてよい。前記第二プレートには、前記圧力室に面した前記第二プレートの一部を変形させる圧力発生部が設けられてよい。前記流路基板の前記第二連通路には、前記第二プレートの一部と前記流路基板の一部との少なくとも一方により形成されて、前記液体を流通させる第二流路が連通される。
【図面の簡単な説明】
【０００６】
【図１】第１実施形態の液体吐出装置の構成を模式的示す説明図。
【図２】液体吐出ヘッドの主要なヘッド構成材の上方側からの分解斜視図。
【図３】液体吐出ヘッドの主要なヘッド構成材の下方側からの分解斜視図。
【図４】図２における４−４線に沿った液体吐出ヘッドの断面図。
【図５】図４の流路基板の領域ＥＦでの＋Ｚ方向側の表面を表す説明図。
【図６】第２実施形態の液体吐出ヘッドの断面図。
【発明を実施するための形態】
【０００７】
Ａ．第１実施形態：
図１は、本発明の第１実施形態の液体吐出装置１００の構成を模式的示す説明図である。液体吐出装置１００は、液体の一例であるインクの液滴を媒体１２に吐出して印刷する、インクジェット方式の印刷装置である。媒体１２は、印刷用紙の他、樹脂フィルムや布等の任意の材質の印刷対象を採用可能である。図１以降の各図においては、互いに直交するＸ方向、Ｙ方向およびＺ方向のうち、液体吐出ヘッド２６の搬送方向に沿った主走査方向をＸ方向とし、媒体１２の送り方向である副走査方向をＹ方向とし、インクの吐出方向をＺ方向とする。インクの吐出方向は、鉛直方向と平行であってもよいし、それと交差する方向でもよい。以下の説明においては、説明の便宜上、主走査方向を印刷方向と、適宜、称する。また、向きを特定する場合には、正の方向を「＋」、負の方向を「−」として、方向表記に正負の符合を併用する。なお、液体吐出装置１００は、媒体送り方向（副走査方向）と液体吐出ヘッド２６の搬送方向（主走査方向）とが一致する、いわゆるラインプリンタでもよい。
【０００８】
液体吐出装置１００は、液体容器１４と、媒体１２を送り出す搬送機構２２と、制御ユニット２０と、ヘッド移動機構２４と、液体吐出ヘッド２６とを備える。液体容器１４は、液体吐出ヘッド２６から吐出される複数種のインクを個別に貯留する。液体容器１４は、ポンプによって構成される図示しない流動機構を備える。液体吐出装置１００は、この流動機構によって、液体吐出ヘッド２６の内部の流路にインクを通過させて移動し、ノズルＮｚからインクを吐出するとともに、インクを循環させて液体容器１４に再びインクを貯留する。液体容器１４としては、可撓性フィルムで形成された袋状のインクパックや、インクを補充可能なインクタンクなどが利用可能である。ノズルＮｚは、インクを吐出する円形状の貫通孔である。
【０００９】
制御ユニット２０は、ＣＰＵ（Central Processing Unit）やＦＰＧＡ（Field Programmable Gate Array）等の処理回路と半導体メモリー等の記憶回路とを含み、搬送機構２２やヘッド移動機構２４、液体吐出ヘッド２６を統括制御する。搬送機構２２は、制御ユニット２０の制御下で動作し、媒体１２をＹ方向に沿って搬送する。
【００１０】
ヘッド移動機構２４は、媒体１２の印刷範囲に亘ってＸ方向に掛け渡された搬送ベルト２３と、液体吐出ヘッド２６を収容して搬送ベルト２３に固定するキャリッジ２５とを備える。ヘッド移動機構２４は、制御ユニット２０の制御下で動作し、液体吐出ヘッド２６を主走査方向に沿ってキャリッジ２５ごと往復移動させる。キャリッジ２５の往復移動の際、キャリッジ２５は図示しないガイドレールにより案内される。なお、液体容器１４を液体吐出ヘッド２６と共にキャリッジ２５に搭載したヘッド構成としてもよい。
【００１１】
液体吐出ヘッド２６は、ヘッド構成材をＺ方向に積層した積層体である。液体吐出ヘッド２６は、図１に示すように、ノズルＮｚの列を副走査方向に沿って並べたノズル列を備える。液体吐出ヘッド２６は、液体容器１４が貯留するインク色ごとに用意され、液体容器１４から供給されるインクを、制御ユニット２０の制御下で、複数のノズルＮｚから媒体１２に向けて吐出する。液体吐出ヘッド２６の往復移動の間のノズルＮｚからのインク吐出により、媒体１２に所望の画像等の印刷がなされる。図１の破線で示された矢印は、液体容器１４と液体吐出ヘッド２６とのインクの移動を模式的に表している。本実施形態の液体吐出ヘッド２６は、図示しない流動機構によって液体容器１４との間でインクを循環させる。
【００１２】
図２は、液体吐出ヘッド２６の主要なヘッド構成材の上方側からの分解斜視図である。図３は、液体吐出ヘッド２６の主要なヘッド構成材の下方側からの分解斜視図である。図４は、図２における４−４線に沿った液体吐出ヘッド２６の断面図である。図示する各構成部材の厚みは、実際の厚みを示しているものではない。以下、図２から図４を参照して本実施形態の液体吐出ヘッド２６のインクの流路構成について説明する。
【００１３】
液体吐出ヘッド２６は、内部にインクの流路を形成する流路基板３０と、第一プレートであるノズルプレート５２と、第二プレートである圧力室基板４０と、圧電素子４４を保護する保護部材５０と、インク供給用の第一ケース部材６０と、インク回収用の第二ケース部材７０と、第一吸振体５３と、第二吸振体５４とを備える。なお、第一ケース部材６０と第二ケース部材７０とを一体に形成してもよいし別体に構成してもよい。また、第一吸振体５３と第二吸振体５４とを一体に形成してもよいし別体に構成してもよい。
【００１４】
流路基板３０は、Ｚ方向からの平面視においてＸ方向よりもＹ方向に長尺なプレート体である。液体吐出ヘッド２６のインクの吐出方向側を下側としたとき、流路基板３０の上面には、第一ケース部材６０と第二ケース部材７０が装着され、両ケース部材の間には、圧力室基板４０が接続される。流路基板３０の下面であって、流路基板３０を挟んで圧力室基板４０と対向する位置には、ノズルを備えたノズルプレート５２と、第一吸振体５３と、第二吸振体５４とが接続される。本実施形態において、流路基板３０は、シリコン製の単結晶基板である。流路基板３０の内部には、例えば、ドライエッチングやウェットエッチング等の半導体製造技術に用いられる加工技術を適用することによって、後述する各種の流路が形成される。流路基板３０は、３Ｄプリンターやレーザー造形などによる三次元造形によって形成されてもよい。
【００１５】
液体吐出ヘッド２６の各種の流路は、流路基板３０の内部に設けられた貫通孔や凹状の溝と、各プレート体とを接続することにより形成される。より具体的には、流路基板３０は、プレート下面の凹状の溝をノズルプレート５２や第一吸振体５３、第二吸振体５４で閉鎖することで、ノズルプレート５２や第一吸振体５３、第二吸振体５４との間に流路を形成する。以下、各部の構成を、インクの供給側である上流側から、排出側である下流側までの流路形成と関連付けて説明する。
【００１６】
第一ケース部材６０は、Ｚ方向からの平面視においてＸ方向よりもＹ方向に長尺なプレート体であり、内部にインク受入室６１を備える。インク受入室６１は、Ｚ方向側が開口した凹状の溝がＹ方向に沿って延在する長尺な空間である。インク受入室６１は、液体容器１４からインク導入口６２を介して供給されたインクを受け入れるインク貯留室の一部を構成する。第一ケース部材６０は、樹脂材料の射出成形により形成される。本実施形態の液体吐出ヘッド２６では、上述したようにインクの循環流路のうち、上流側をインク受入室６１としているが、流路を逆向きにしてインク受入室６１を下流側としてもよい。
【００１７】
流路基板３０の内部にはインクの流路が形成されている。より具体的には、流路基板３０は、上流側から順に、インク流入室１３１と、第一共通流路１３２と、第一流路１３３と、第一連通路１３４と、個別供給路１３５と、第二連通路１３６と、第二流路１３７と、第三流路１３８と、第二共通流路１３９と、インク排出室１４０とを有する。
【００１８】
インク流入室１３１は、図２に示すように、Ｙ方向に沿って長尺な開口を有する貫通孔である。インク流入室１３１は、図４に示すように、インク受入室６１と重なるように、第一ケース部材６０は、流路基板３０に組み付けられる。これにより、インク流入室１３１は、インク受入室６１と接続される。
【００１９】
第一共通流路１３２は、図３および図４に示すように、流路基板３０の下面側に形成された長尺な凹状の溝である。第一共通流路１３２は、インク流入室１３１と接続されて一つの共通液室を構成する。第一共通流路１３２は、流路基板３０のプレート下面側の開口部分を第一吸振体５３によって閉鎖されて流路として形成される。すなわち、第一共通流路１３２の内壁の一部は、第一吸振体５３によって構成されている。
【００２０】
第一吸振体５３は、インク流入室１３１および第一共通流路１３２における圧力変動を吸収する。第一吸振体５３は、可撓性を有する平面状のフィルムやゴムや薄膜状の基板、あるいはこれらを含むコンプライアンス基板で構成されてもよい。第一吸振体５３は、弾性を有していればよい。これにより、インク流入室１３１および第一共通流路１３２によって構成される共通流路のコンプライアンスを増加させることができ、インクを吐出する際のクロストークの発生を抑制している。
【００２１】
第一流路１３３は、図２および図４に示すように、流路基板３０をＺ方向に貫通して第一共通流路１３２に至る貫通孔である。第一流路１３３は、一つの第一共通流路１３２に対して、ノズルＮｚの数と同じ数だけ備えられる。これにより、第一流路１３３は、第一共通流路１３２から各個別流路へ分岐させる供給口となる。第一流路１３３は、ノズルＮｚごとに設けられた圧力室Ｃｈの一端と接続される。
【００２２】
圧力室Ｃｈは、図２および図４に示すように、圧力室基板４０の下面に形成された凹状の溝である。圧力室Ｃｈは、圧力室基板４０の溝と流路基板３０の上面とによって囲まれる流路であり、圧力室基板４０が流路基板３０の上面と接続されることによって形成される。このように、圧力室Ｃｈおよび第一流路１３３は、圧力室基板４０および流路基板３０のうち、後述する第一連通路１３４側に、圧力室基板４０の一部と流路基板３０の一部とによって形成される。
【００２３】
第一連通路１３４は、図２および図４に示すように、流路基板３０を厚み方向に貫通する貫通孔であり、流路基板３０の圧力室基板４０側とノズルプレート５２側とのそれぞれに開口を有する。第一連通路１３４は、ノズルＮｚの数だけ設けられる。本実施形態において、第一連通路１３４の開口のうち、流路基板３０の下面側の開口は、ノズルプレート５２によって閉じられる。この流路基板３０の下面側の第一連通路１３４の開口に、ノズルＮｚが位置している。第一連通路１３４の開口のうち流路基板３０の上面側の開口は、圧力室基板４０によって閉じられて圧力室Ｃｈの他端側と接続される。これにより、圧力室ＣｈとノズルＮｚとが、第一連通路１３４によって連通された状態となる。本実施形態において、圧力室基板４０および流路基板３０のうち、供給側である第一連通路１３４側に、圧力室Ｃｈおよび圧力室Ｃｈにインクを流通する第一流路１３３が、圧力室基板４０の一部と流路基板３０の一部とによって形成される。
【００２４】
ノズルプレート５２は、流路基板３０の下面側に接続される板状の部材である。第一連通路１３４と、後述の個別供給路１３５および第二連通路１３６とを、流路基板３０のプレートの下面側で閉鎖する。本実施形態において、ノズルプレート５２は、シリコン製の単結晶基板である。ノズルプレート５２は、流路基板３０と同様に、加工技術を適用することによって、図２のような列状のノズルＮｚを形成される。本実施形態において、ノズルＮｚによるインクの吐出方向は、上述したように、Ｚ方向であり、ノズルプレート５２の面方向は吐出方向と垂直であるＸＹ平面と平行である。
【００２５】
個別供給路１３５は、図３および図４に示すように、流路基板３０の下面側に形成された凹状の溝であり、ノズルＮｚの数だけ設けられる。本実施形態において、個別供給路１３５は、流路基板３０の下面側、すなわちノズルプレート５２側で第一連通路１３４と接続される。個別供給路１３５は、ノズルプレート５２によって閉鎖されて、ノズルプレート５２の面方向に沿って延びる個別流路として形成される。すなわち、個別供給路１３５の内壁の一部は、ノズルプレート５２によって構成されている。個別供給路１３５は、ノズルＮｚ以降である下流側、すなわち排出側にインクを流通させる排出口として機能する。個別供給路１３５は、第一連通路１３４のノズルプレート５２側の開口と、第二連通路１３６のノズルプレート５２側の端部とを連通している。
【００２６】
第二連通路１３６は、個別供給路１３５と接続された流路であり、排出側の個別流路の一部を構成する。第二連通路１３６は、ノズルＮｚの数と同じ数だけ備えられる。本実施形態において、第二連通路１３６は、図２および図４に示すように、流路基板３０を厚み方向に貫通する貫通孔であり、流路基板３０の圧力室基板４０側とノズルプレート５２側とのそれぞれに開口を有する。
【００２７】
第二流路１３７は、第二連通路１３６と接続された流路であり、ノズルＮｚの数と同じ数だけ備えられる。第二流路１３７は、図２および図４に示すように、流路基板３０のプレート上面に形成された凹状の溝であり、排出側の個別流路の一部を構成する。本実施形態において、第二流路１３７の一端は、流路基板３０の上面側、すなわち圧力室基板４０側で第二連通路１３６と接続される。第二流路１３７は、圧力室基板４０によって閉鎖されて、圧力室基板４０の面方向に沿って延びる流路として形成される。すなわち、個別供給路１３５の内壁の一部は、圧力室基板４０によって構成されている。第二流路１３７は、第三流路１３８と連続するように形成される。
【００２８】
図４には、圧力室基板４０の厚みＴ１と、流路基板３０の厚みＴ２とが模式的に示されている。この「厚み」とは、流路基板３０と圧力室基板４０とが積層される方向における各プレート体の厚みのことをいう。本実施形態において、流路基板３０の厚みＴ２は、圧力室基板４０の厚みＴ１よりも大きい。第二流路１３７は、流路基板３０の厚みを大きくすることによって、その凹状の溝を深くされることができる。これにより第二流路１３７の断面積が大きくされている。第二流路１３７の流路抵抗は小さくなり、流路基板３０内のインクの流通を促進させている。
【００２９】
第三流路１３８は、図２および図４に示すように、流路基板３０を貫通して第二共通流路１３９に至る貫通孔である。第三流路１３８は、第二流路１３７の他端側で接続されることによって第二流路１３７と連通し、圧力室基板４０側からノズルプレート５２側へ延伸して第二共通流路１３９に連通する流路である。第三流路１３８は、ノズルＮｚの数と同じ数だけ備えられる個別流路である。第三流路１３８のそれぞれは、一つの共通液室となる第二共通流路１３９に接続される。これにより、第三流路１３８は、個別流路から排出側の共通液室への供給口、すなわち個別流路の排出側の出口として機能する。
【００３０】
このように、本実施形態の個別流路は、第一流路１３３と、圧力室Ｃｈと、第一連通路１３４と、第二連通路１３６と、第二流路１３７と、第三流路１３８とによって構成される。この個別流路に一つのノズルＮｚを接続されて一つの液体吐出部８０を構成している。本実施形態の液体吐出ヘッド２６では、ノズルＮｚの数と同じ数の液体吐出部８０が備えられている。
【００３１】
第二共通流路１３９は、図３および図４に示すように、流路基板３０の下面側に形成された一つの長尺な凹状の溝である。第二共通流路１３９は、インク排出室１４０と接続されて一つの共通液室を構成する。第二共通流路１３９は、流路基板３０のプレート下面側の開口部分を第二吸振体５４によって閉鎖されて流路として形成される。すなわち、第二共通流路１３９の内壁の一部は、第二吸振体５４によって構成されている。第二吸振体５４は、第一吸振体５３と同じ材料によって形成されるコンプライアンス基板である。これにより、インク排出室１４０および第一共通流路１３２によって構成される排出側の共通流路のコンプライアンスを増加させることができ、インクを吐出する際のクロストークの発生を抑制している。
【００３２】
インク排出室１４０は、図２に示すように、Ｙ方向に沿って長尺な開口を有する貫通孔である。インク排出室１４０は、図４に示すように、インク収容室７１と重なるように、後述する第二ケース部材７０と、流路基板３０とが組み付けられる。これにより、インク排出室１４０は、第二ケース部材７０内のインク収容室７１と接続される。
【００３３】
第二ケース部材７０は、Ｙ方向に長尺なプレート体であり、内部にインク収容室７１を備える。インク収容室７１は、Ｚ方向側を開口した凹状の溝がＹ方向に沿って延在する長尺な空間である。インク収容室７１は、インク排出室１４０から排出されたインクを受け入れて排出側のインク貯留室の一部を構成する。インク収容室７１内のインクは、図４の黒塗り矢印で示すように、インク排出口７２を経て液体容器１４に環流される。本実施形態において、第二ケース部材７０は、第一ケース部材６０と同じ樹脂材料を用いられ、射出成形により形成されるが、第二ケース部材７０と第一ケース部材６０とは別の材料によって形成されてもよい。なお、第二ケース部材７０からのインク環流は、図示しない流動機構によって実現される。また、流路基板３０への第二ケース部材７０の装着は、適宜な接着剤を用いて液密になされる。
【００３４】
圧力室基板４０は、上述した圧力室ＣｈをノズルＮｚごとに形成するプレート体である。流路基板３０と同様、シリコンの単結晶基板への既述した半導体製造技術の適用を経て形成できる。圧力室基板４０は、圧力室Ｃｈのほかに、振動部４２を備える。
【００３５】
振動部４２は、弾性的に振動できるよう薄板状に形成された圧力室Ｃｈの壁面である。振動部４２は、圧力室基板４０のうち流路基板３０側とは逆側の面に備えられ、圧力室Ｃｈに面した圧力室基板４０の一部、すなわち圧力室Ｃｈの天井側の壁面、を構成する。振動部４２の圧力室Ｃｈ側とは逆側の面には、圧電素子４４が圧力室Ｃｈごとに備えられる。それぞれの圧電素子４４は、ノズルＮｚに個別に対応し、駆動信号を受けて変形する受動素子である。圧電素子４４は、ノズルＮｚの並びに対応付けて振動部４２に配設されて、圧力発生部として機能する。圧電素子４４の振動は、振動部４２を伝達して圧力室Ｃｈ内に充填されたインクに圧力変化を引き起こす。この圧力変化が第一連通路１３４を経てノズルＮｚに及ぶことによって、ノズルＮｚからのインクの吐出を実現する。圧電素子４４は、圧力室基板４０の基板上面に設けられた２層の電極層と、Ｚ方向において２層の電極層に挟まれた圧電層とを含む。圧力発生部は、圧力室Ｃｈ内に充填されたインクに圧力変化を引き起こすために、発熱する発熱素子であってもよいし、静電素子であってもよいし、ＭＥＭＳ素子であってもよい。
【００３６】
保護部材５０は、圧力室基板４０に積層されるシリコン製の単結晶基板である。圧力室Ｃｈごとの圧電素子４４へ通電するリード電極４５を、圧力室基板４０と保護部材５０との間（界面）に設けてもよい。保護部材５０は、図２に示すように、Ｚ方向からの平面視においてＸ方向よりもＹ方向に長尺なプレート体であり、振動部４２の上面側に凹状の空間を形成して、振動部４２を圧電素子４４と共に覆う。保護部材５０は、適宜な樹脂材料の射出成形により形成されてもよい。また、保護部材５０は、リード電極４５と電気的に接触する配線基板９０の設置用に、Ｙ方向に沿って長形な矩形貫通孔５１を有する。リード電極４５は、圧電素子４４の電極層と電気的に接続されている。リード電極４５は、圧電素子４４の電極層から、ＸＹ面の面内方向に沿って、引き出された電極であってもよい。
【００３７】
配線基板９０は、駆動ＩＣによって構成される駆動回路を実装するフレキシブル基板である。配線基板９０は、制御ユニット２０からの駆動回路からの信号を、リード電極４５を介して圧電素子４４のそれぞれに供給する。
【００３８】
このように、本実施形態の液体吐出ヘッド２６では、図示しない流動機構により液体容器１４から供給されたインクは、第一ケース部材６０におけるインク受入室６１を経て、流路基板３０のインク流入室１３１と第一共通流路１３２に流れ込み、共有供給路であるインク流入室１３１と第一共通流路１３２とに充満する。共有供給路に充満したインクは、継続して供給されるインクによって、ノズルＮｚごとの個別流路内に押し出され、液体吐出部８０に供給される。より具体的には、押し出されたインクは、個別流路の入り口となる第一流路１３３のそれぞれに分岐して供給されて、圧力室Ｃｈのそれぞれに供給される。この圧力室Ｃｈにおいて、制御ユニット２０により駆動制御される圧電素子４４の振動を受けてノズルＮｚから吐出される。液体容器１４からのインク供給は、ノズルＮｚからのインク吐出がなされている印刷状況下においても、ノズルＮｚからのインク吐出を伴わない状況下でも継続される。
【００３９】
圧力室Ｃｈへのインク供給が継続されている状況において、ノズルＮｚからインク吐出されなかったインクは、ノズルＮｚ以降である排出側の流路に流通する。より具体的には、第一連通路１３４から個別供給路１３５へ流通し、第二連通路１３６と第三流路１３８とを経て、共通液室である第二共通流路１３９およびインク排出室１４０に押し出され、第二ケース部材７０のインク収容室７１に送り出される。その後、インクは液体容器１４に環流する。
【００４０】
第一プレート装着座１４１は、図４に示す流路基板３０の断面において、第二連通路１３６と、第二流路１３７と、第三流路１３８と、第二共通流路１３９とによって囲まれて形成される流路基板３０の一部である。第一プレート装着座１４１は、流路基板３０の下面側の壁面に、流路基板３０と、ノズルプレート５２および第二吸振体５４とを接着させるための装着座を構成する。
【００４１】
第二プレート装着座１４２は、図４に示す流路基板３０の断面において、第三流路１３８と、第二共通流路１３９と、インク排出室１４０とによって囲まれて形成される流路基板３０の一部である。第一プレート装着座１４１は、流路基板３０の上面側の壁面に、流路基板３０と、圧力室基板４０を接着させるための装着座を構成する。
【００４２】
図５は、図４の流路基板３０の領域ＥＦでの＋Ｚ方向側の表面を表す説明図である。以下、図４とともに図５を用いて本実施形態の液体吐出ヘッド２６が備える第一プレート装着座１４１の構成について詳述する。図５には、技術の理解を容易にするため、ノズルプレート５２と、第一吸振体５３と、第二吸振体５４とは配置される位置のみを模式的に表し、それ以外の図示は省略されている。図５に破線によって示されるＥ１〜Ｅ５は、説明の便宜のために付した各部の端部の位置を表す。端部Ｅ１は、第二共通流路１３９の＋Ｘ方向側の端部である。端部Ｅ２は、第二連通路１３６の−Ｘ方向側の端部である。端部Ｅ３は、第一連通路１３４の−Ｘ方向側の端部である。端部Ｅ４は、第一連通路１３４の＋Ｘ方向側の端部である。端部Ｅ５は、第一共通流路１３２の−Ｘ方向側の端部である。端部Ｅ６は、第三流路１３８の−Ｘ方向側の端部である。図５に示したＡｒ１〜Ａｒ４は、説明の便宜のために付したＸ方向に沿った領域であり、端部Ｅ１〜Ｅ５のそれぞれに挟まれるＸ方向に沿った領域を表す。
【００４３】
領域Ａｒ１は、端部Ｅ１と端部Ｅ２とによって挟まれる領域である。領域Ａｒ１は、流路基板３０に、第二吸振体５４およびノズルプレート５２を貼り合わせる第一プレート装着座１４１を構成する領域である。領域Ａｒ１には、流路基板３０に貼付された第二吸振体５４の＋Ｘ方向側の端部と、ノズルプレート５２の−Ｘ方向側の端部とが位置する。
【００４４】
領域Ａｒ２は、端部Ｅ２と端部Ｅ３とによって挟まれる領域であり、流路基板３０に貼付されたノズルプレート５２によって閉鎖される領域である。領域Ａｒ３は、端部Ｅ３と端部Ｅ４とによって挟まれる領域である。すなわち、領域Ａｒ３のＸ方向における幅は、第一連通路１３４のＸ方向における幅に等しい。領域Ａｒ３は、ノズルプレート５２によって封鎖されるとともにノズルＮｚが配置される領域である。
【００４５】
領域Ａｒ４は、端部Ｅ４と端部Ｅ５とによって挟まれる領域である。領域Ａｒ４は、流路基板３０に、第一吸振体５３およびノズルプレート５２を貼り合わせる領域である。領域Ａｒ４には、ノズルプレート５２の＋Ｘ方向側の端部と、流路基板３０に貼付された第一吸振体５３の−Ｘ方向側の端部と、が位置する。このように、本実施形態の液体吐出ヘッド２６では、ノズルプレート５２は、ノズルＮｚを領域Ａｒ３の第一連通路１３４と重ねられるとともに、−Ｘ方向側の端部を領域Ａｒ１内に貼付され、＋Ｘ方向側の端部を領域Ａｒ４に貼付される。
【００４６】
本実施形態において、第二連通路１３６は、流路基板３０の厚み方向に貫通されている。すなわち、第二連通路１３６は、第一連通路１３４のノズルプレート５２側の開口と個別供給路１３５を介して連通し、圧力室基板４０側に向かって延伸されて形成されている。これにより流路基板３０に端部Ｅ２が形成される。このように、本実施形態の液体吐出ヘッド２６では、端部Ｅ２を形成することによって、第二吸振体５４の＋Ｘ方向側の端部と、ノズルプレート５２の−Ｘ方向側の端部とを配置するための領域Ａｒ１の幅を確保するための第一プレート装着座１４１が形成される。これにより、一枚の流路基板３０に対して、小型化したノズルプレート５２を備えることができる。同様に、第三流路１３８は、流路基板３０の上面側に形成された第二流路１３７と接続され、流路基板３０の厚み方向に貫通される。これにより、流路基板３０の上面側に端部Ｅ６を形成し、第二プレート装着座１４２が形成される。したがって、一枚の流路基板３０に対して、第二流路１３７を閉鎖するために必要な圧力室基板４０の面積を小さくすることができる。
【００４７】
また、本実施形態の液体吐出ヘッド２６では、共有供給路を構成するインク流入室１３１と第一共通流路１３２は、その流路域に亘って可撓性の第一吸振体５３で閉鎖され、共有回収路を構成する第二共通流路１３９とインク排出室１４０とは、その流路域に亘って可撓性の第二吸振体５４で閉鎖されている。このため、インク流入室１３１と第一共通流路１３２に充満したインクに及ぶインク供給圧は、第一吸振体５３の撓みにより減衰される。また、第二共通流路１３９とインク排出室１４０に充満したインクに及ぶインク供給圧やインク吐出の際のインク吐出圧は、第二吸振体５４の撓みにより減衰される。この結果、本実施形態の液体吐出ヘッド２６によれば、圧力室の振動波形と液体の流通によって発生する振動波形との振幅が増大するクロストークの発生を低減できる。
【００４８】
Ｂ．第２実施形態：
図６は、第２実施形態としての液体吐出ヘッド２６ｂの断面図である。第２実施形態の液体吐出ヘッド２６ｂは、第１実施形態の液体吐出ヘッド２６の流路基板３０の代わりに、流路基板３０ｂを備える点で異なり、その他の構成は第１実施形態の液体吐出ヘッド２６と同じである。流路基板３０ｂは、第１実施形態の流路基板３０とは、ノズルプレート５２の代わりにノズルプレート５２ｂを備える点と、第二連通路１３６の代わりに第二連通路１３６ｂを備える点と、第二流路１３７の代わりに第二流路１３７ｂを備える点と、第三流路１３８を備えない点と、第二プレート装着座１４２を備えない点とで異なり、それ以外の構成は流路基板３０と同様である。
【００４９】
本実施形態の液体吐出ヘッド２６ｂでは、流路基板３０ｂの下面側にノズルプレート５２ｂが備えられる。ノズルプレート５２ｂは、第１実施形態のノズルプレート５２とは、ノズルＮｚの代わりにノズルＮｚ２を備える点で異なる。ノズルＮｚ２は、第二連通路１３６ｂに対応する位置に備えられる。ノズルＮｚ２は、第１実施形態のノズルＮｚとは、備えられる位置が異なり、それ以外の構成は第１実施形態のノズルＮｚの構成と同じである。個別供給路１３５は、第一連通路１３４とノズルプレート５２ｂ側の開口と接続されて、ノズルプレート５２ｂに沿って形成される。そのため、第一連通路１３４に供給されたインクはノズルプレート５２ｂに至った後に、ノズルプレート５２ｂの表面に沿って個別供給路１３５に収束するようにして導かれる。したがって、個別供給路１３５内のインクの流速は、第一連通路１３４内のインクの流速よりも速くなりやすい。第二連通路１３６ｂのうちこの個別供給路１３５の延長線にある部分にノズルＮｚ２を接続することによって、インクが吐出されやすくなる。また、増粘が抑制されたインクを吐出することができる。
【００５０】
本実施形態において、第二連通路１３６ｂは、個別供給路１３５と接続される点において第１実施形態の第二連通路１３６と共通するが、第二連通路１３６ｂは、流路基板３０ｂを貫通しない点で第１実施形態の第二連通路１３６と異なる。本実施形態では、第二連通路１３６ｂは、個別供給路１３５と接続されたノズルプレート５２ｂ側から、流路基板３０ｂの厚み方向に沿って離れる向き、すなわちノズルプレート５２ｂ側から圧力室基板４０側に延伸されて、流路基板３０ｂの内部で第二流路１３７ｂに接続される。第二流路１３７ｂは、流路基板３０ｂの内部に備えられる中空の流路である。第二流路１３７ｂは、３Ｄプリンターによる三次元造形によって流路基板３０ｂを作製することによって形成できる。これにより、第１実施形態の液体吐出ヘッド２６と同様に、流路基板３０ｂに端部Ｅ２を形成することができ、第一プレート装着座１４１が得られることができる。したがって、一枚の流路基板３０ｂに対して小型化したノズルプレート５２ｂを備えることができる。
【００５１】
Ｃ．他の実施形態：
（Ｃ１）上記各実施形態では、個別供給路１３５は、ノズルプレート５２によって閉鎖されて、ノズルプレート５２の面方向に沿って延びる個別流路として形成される。これに対して、個別供給路は形成されず、第一連通路のノズルプレート側の開口と第二連通路のノズルプレート側の部分とがノズルプレート側で直接接続される態様であってもよい。この形態の液体吐出ヘッドによれば、例えば図５の領域Ａｒ２を省略することによって、ノズルプレートをより小型化することができる。
【００５２】
（Ｃ２）上記各実施形態では、個別供給路１３５は、流路基板３０の下面側に形成された凹状の溝である。これに対して、個別供給路は、ノズルプレートに備えられてもよく、ノズルプレートの一部と流路基板の一部とによって形成されてもよい。
【００５３】
（Ｃ３）上記各実施形態の液体吐出ヘッド２６では、複数の個別流路に対して一つの共通流路が接続される。これに対して、個別流路は必ずしも複数で備えられる必要はなく、一つの個別流路に対して一つの共通流路が形成される態様であってもよい。共通流路は必ずしも一つである必要はなく、複数の共通流路が備えられる態様であってもよい。
また、複数の個別流路の全てが一つの共通流路に接続されず、複数の個別流路をいくつかのグループに分けて、グループごとに対応する複数の共通流路に接続される態様であってもよく、個別流路と共通流路とが種々の組み合わせによって接続されてもよい。
【００５４】
（Ｃ４）上記第１実施形態の液体吐出ヘッド２６では、第二流路１３７は、流路基板３０のプレート上面に形成され、第２実施形態の液体吐出ヘッド２６ｂでは、第二流路１３７ｂは、流路基板３０ｂの内部に形成される。これに対して、第二流路は、流路基板に形成されず、圧力室基板に形成される態様であってもよい。第二流路は、圧力室とは区画され、圧力室基板の一部と流路基板の一部との少なくとも一方により形成されればよい。
【００５５】
（Ｃ５）上記第１実施形態の液体吐出ヘッド２６では、第一吸振体５３は、コンプライアンス基板からなる可撓性を有する平面状のフィルムである。これに対して、第一吸振体を備えず、インク流入室および第一共通流路によって構成される共通流路を、例えばＳＵＳ板のような別の材料が閉鎖する態様であってもよく、流路基板の流路構造によって壁面を構成し共通流路を封鎖する態様であってもよい。
【００５６】
（Ｃ６）上記第１実施形態の液体吐出ヘッド２６では、第二吸振体５４は、コンプライアンス基板からなる可撓性を有する平面状のフィルムである。これに対して、第一吸振体を備えず、インク排出室および第一共通流路によって構成される排出側の共通流路を、例えばＳＵＳ板のような別の材料が閉鎖する態様であってもよく、流路基板が封鎖する態様であってもよい。また、第一吸振体と第二吸振体とは、同じ材料である必要は無く別々の材料であってもよいし、第一吸振体と第二吸振体とのいずれか一方にのみコンプライアンス基板を備える態様であってもよい。
【００５７】
（Ｃ７）上記各実施形態の液体吐出ヘッド２６では、ノズルＮｚと接続された第一連通路１３４に対して、第一流路１３３および圧力室Ｃｈ側からインクが供給される。これに対して、第二連通路側である第二流路側からインクが供給される態様のように上記各実施形態の液体吐出ヘッド２６とは、供給側と排出側が逆であってもよい。また、液体吐出装置に備えられる流動機構によってインクの供給方向が切り換えられることによって、供給側と排出側が適宜に切り換えられる態様であってもよい。この形態の液体吐出ヘッドによれば、インクの循環方向を適宜に変更することによって、ノズル近傍に残留するインクの流通性を向上させて、インクが増粘する不具合の発生を抑制することができる。また、第一流路および圧力室側と、第二流路および第二連通路側との双方からインクが供給される態様であっても良い。この形態の液体吐出ヘッドによれば、ノズル近傍の液体の充填率を高めることができる。
【００５８】
（Ｃ８）上記各実施形態の液体吐出ヘッド２６では、第一共通流路１３２とインク流入室１３１とが接続された供給側の共通液室と、第二共通流路１３９とインク排出室１４０とが接続された排出側の共通液室とを備える。これに対して、供給側および排出側の共通液室がともに備えられない態様であってもよく、いずれか一方の共通液室のみを備える態様であってもよい。共通液室を備えない態様においては、第一ケース部材および第二ケース部材の流路と、液体吐出部の流路とが、直接連通されていることが好ましい。
【００５９】
（Ｃ９）上記各実施形態の液体吐出ヘッド２６では、流路基板３０に第一ケース部材および第二ケース部材が接続されている。これに対して、流路基板には、第一ケース部材および第二ケース部材が接続されていない態様であってもよい。このような態様においては、圧力室基板や保護部材といった第一ケース部材および第二ケース部材とは異なる積層基板や別部材によってインク受入室およびインク収容室が形成される。
【００６０】
（Ｃ１０）上記各実施形態の液体吐出ヘッド２６では、圧力室Ｃｈは、圧力室基板４０の下面に形成された凹状の溝である。これに対して、圧力室は流路基板に備えられる態様であってもよい。圧力室は、圧力室基板および流路基板の第一連通路側に、圧力室基板の一部と流路基板の一部とによって形成される態様であればよい。
【００６１】
Ｄ．他の形態：
本開示は、上述した実施形態に限られるものではなく、その趣旨を逸脱しない範囲において種々の形態で実現することができる。例えば、本発明は、以下の形態（aspect）によっても実現可能である。以下に記載した各形態中の技術的特徴に対応する上記実施形態中の技術的特徴は、本発明の課題の一部又は全部を解決するために、あるいは、本発明の効果の一部又は全部を達成するために、適宜、差し替えや、組み合わせを行うことが可能である。また、その技術的特徴が本明細書中に必須なものとして説明されていなければ、適宜、削除することが可能である。
【００６２】
（１）本開示の一形態によれば、液体を吐出する液体吐出ヘッドが提供される。この液体吐出ヘッドは：前記液体を流通させる流路基板と；前記流路基板の両面に、互いに対向する位置に取付けられた第一プレートおよび第二プレートと；を備える。前記第一プレートは、前記液体を吐出させるノズルを備える。前記流路基板は：前記流路基板を厚み方向に貫通し、前記第一プレート側と前記第二プレート側とのそれぞれに開口を有する第一連通路と；前記第一連通路の前記第一プレート側の前記開口と前記第一プレート側で連通し、前記第二プレート側に延伸する第二連通路と；を備える。前記第一連通路に連通する圧力室と前記圧力室に前記液体を流通する第一流路とが、前記第二プレートの一部と前記流路基板の一部とによって形成されてよい。前記第二プレートには、前記圧力室に面した前記第二プレートの一部を変形させる圧力発生部が設けられてよい。前記流路基板の前記第二連通路には、前記第二プレートの一部と前記流路基板の一部との少なくとも一方により形成されて、前記液体を流通させる第二流路が連通される。この形態の液体吐出ヘッドによれば、流路基板の貫通孔である第一連通路と、第一プレート側から第二プレート側に延伸する第二連通路が設けられる。したがって、流路基板に第一プレートを装着するための装着座が形成されることによって、小型化した第一プレートを備えることができる。
【００６３】
（２）上記形態の液体吐出ヘッドにおいて、前記第一流路、前記圧力室、前記第一連通路、前記ノズル、前記第二連通路、前記第二流路を含む液体吐出部が、複数組備えられてもよい。この形態の液体吐出ヘッドによれば、一つの液体吐出ヘッドに複数の流路とノズルが備えられる。そのため、複数のノズルからインクを吐出させることができ、液体吐出ヘッド一つあたりの解像度を高めることができる。
【００６４】
（３）上記形態の液体吐出ヘッドにおいて、前記流路基板は、複数組の前記液体吐出部の前記第一流路のそれぞれに連通する第一共通流路を備えてよい。前記第一共通流路は、前記第一流路に対して前記圧力室とは反対側に設けられてもよい。この形態の液体吐出ヘッドによれば、複数の個別流路に対して一つの共通流路が接続される。これにより、個別流路それぞれにおける液体の充填率を高めることができる。
【００６５】
（４）上記形態の液体吐出ヘッドにおいて、前記第一共通流路には、前記第一共通流路内の前記液体の圧力変動を緩和する吸振体が、前記第一共通流路の内壁の一部となる位置に配設されてもよい。この形態の液体吐出ヘッドによれば、共通流路におけるイナータンスを増加させることができ、液体を吐出する際のクロストークの発生を抑制することができる。
【００６６】
（５）上記形態の液体吐出ヘッドにおいて、前記流路基板は、複数組の前記液体吐出部の前記第二流路のそれぞれに連通する第二共通流路を備えてよい。前記第二共通流路は、前記第二流路に対して前記第二連通路とは反対側に設けられてもよい。この形態の液体吐出ヘッドによれば、複数の個別流路に対して一つの共通流路が接続される。これにより、個別流路それぞれにおける液体の充填率を高めることができる。
【００６７】
（６）上記形態の液体吐出ヘッドにおいて、前記第二共通流路には、前記第二共通流路内の前記液体の圧力変動を緩和する吸振体が、前記第二共通流路の内壁の一部となる位置に配設されてもよい。この形態の液体吐出ヘッドによれば、共通流路におけるイナータンスを増加させることができ、液体を吐出する際のクロストークの発生を抑制することができる。
【００６８】
（７）上記形態の液体吐出ヘッドにおいて、更に、前記第一連通路と、前記第二連通路との少なくともいずれか一方に前記液体を給排する流路を含むケース部材を備えてもよい。この形態の液体吐出ヘッドによれば、共通流路に液体を給排する流路を含むケース部材が備えられる。積層基板によって流路を積層して延伸させる態様に比較して、一体成形によって流路を形成することができ、流路のつなぎ目を減らすことができる。また、共通流路は個別流路よりも流路が大きいことが多いため、成形がより容易な材料を用いることができる。
【００６９】
（８）上記形態の液体吐出ヘッドにおいて、前記第二流路は、前記流路基板と前記第二プレートとの界面に形成され、前記第二プレートの面方向に沿って延びてよい。この形態の液体吐出ヘッドによれば、第二流路が流路基板と第二プレートとの界面の位置に形成される。すなわち、第二流路は、流路基板または第二プレートの少なくともいずれか一方の表面状に形成される。そのため、例えば、流路基板の外部からの加工で第二流路を形成することができ、内部に第二流路を形成するよりも容易に加工できる。
【００７０】
（９）上記形態の液体吐出ヘッドにおいて、前記流路基板は、前記第二流路と連通し前記第二プレート側から前記第一プレート側へ延伸する第三流路を備えてもよい。この形態の液体吐出ヘッドによれば、流路基板に第二プレートを装着するための装着座が形成されることによって、第二流路を閉鎖するために必要な第二プレートの面積を小さくすることができる。
【００７１】
（１０）上記形態の液体吐出ヘッドにおいて、前記流路基板は、前記流路基板と前記第二プレートとが積層された方向における厚さが、前記第二プレートの前記厚さよりも大きくてもよく。前記第二流路は、前記流路基板に設けられた溝により形成されてもよい。この形態の液体吐出ヘッドによれば、第二流路を第二プレートよりも厚みのある流路基板内に設けることができる。これにより、流路基板内に流路の断面積の大きい第二流路を形成して流路抵抗を小さくすることにより、流路基板内の液体の流通を促進させることができる。
【００７２】
（１１）上記形態の液体吐出ヘッドにおいて、前記流路基板は、前記第二連通路の前記第一プレート側の端部と、前記第一連通路の前記第一プレート側の前記開口とを接続する個別供給路を備えてもよい。前記ノズルは、前記個別供給路と接続されてよい。この形態の液体吐出ヘッドによれば、第一連通路と第二連通路とを第一プレート側で接続する個別供給路が備えられるとともに、ノズルが個別供給路に備えられる。個別供給路は、第一プレートに沿って形成されるため、第一連通路に供給された液体は第一プレートに沿って収束して個別供給路に導かれる。そのため、液体の流速がより早い部分にノズルを設けることができ、液体をノズルから吐出しやすくなる。また、増粘が抑制された液体をノズルから吐出しやすくなる。
【００７３】
（１２）本開示の他の形態によれば、液体吐出装置が提供される。この液体吐出装置は：上記各形態の液体吐出ヘッドと；前記液体を、前記流路基板内を通過させて移動させる流動機構と；を備える。
【００７４】
本開示は、液体吐出ヘッドまたは液体吐出装置以外の種々の形態で実現することも可能である。例えば、液体吐出ヘッドまたは液体吐出装置の製造方法や液体吐出ヘッドまたは液体吐出装置の制御方法、その制御方法を実現するコンピュータプログラム、そのコンピュータプログラムを記録した一時的でない記録媒体（non-transitory storage medium）等の形態で実現することができる。また、インクを吐出する液体吐出装置に限らず、インク以外の他の液体を吐出する任意の液体吐出装置にも適用することができる。例えば、以下のような各種の液体吐出装置に本発明は適用可能である。ファクシミリ装置等の画像記録装置、液晶ディスプレイ等の画像表示装置用のカラーフィルターの製造に用いられる色材吐出装置、有機ＥＬ（Ｅｌｅｃｔｒｏ  Ｌｕｍｉｎｅｓｃｅｎｃｅ）ディスプレイや、面発光ディスプレイ（Ｆｉｅｌｄ  Ｅｍｉｓｓｉｏｎ  Ｄｉｓｐｌａｙ、ＦＥＤ）等の電極形成に用いられる電極材吐出装置、バイオチップ製造に用いられる生体有機物を含む液体を吐出する液体吐出装置、精密ピペットとしての試料吐出装置、潤滑油の吐出装置、樹脂液の吐出装置、時計やカメラ等の精密機械にピンポイントで潤滑油を吐出する液体吐出装置、光通信素子等に用いられる微小半球レンズ（光学レンズ）などを形成するために紫外線硬化樹脂液等の透明樹脂液を基板上に吐出する液体吐出装置、基板などをエッチングするために酸性又はアルカリ性のエッチング液を吐出する液体吐出装置、他の任意の微小量の液滴を吐出させる液体吐出ヘッドを備える液体吐出装置等の形態で実現することができる。
【符号の説明】
【００７５】
１２…媒体、１４…液体容器、２０…制御ユニット、２２…搬送機構、２３…搬送ベルト、２４…ヘッド移動機構、２５…キャリッジ、２６…液体吐出ヘッド、２６ｂ…液体吐出ヘッド、３０…流路基板、３０ｂ…流路基板、４０…圧力室基板、４２…振動部、４４…圧電素子、４５…リード電極、５０…保護部材、５１…矩形貫通孔、５２…ノズルプレート、５２ｂ…ノズルプレート、５３…第一吸振体、５４…第二吸振体、６０…第一ケース部材、６１…インク受入室、６２…インク導入口、７０…第二ケース部材、７１…インク収容室、７２…インク排出口、８０…液体吐出部、９０…配線基板、１００…液体吐出装置、１３１…インク流入室、１３２…第一共通流路、１３３…第一流路、１３４…第一連通路、１３５…個別供給路、１３６…第二連通路、１３６ｂ…第二連通路、１３７…第二流路、１３７ｂ…第二流路、１３８…第三流路、１３９…第二共通流路、１４０…インク排出室、１４１…第一プレート装着座、１４２…第二プレート装着座、Ｎｚ…ノズル、Ｎｚ２…ノズル
【図１】
2020001306.tif 000003
【図２】
2020001306.tif 000004
【図３】
2020001306.tif 000005
【図４】
2020001306.tif 000006
【図５】
2020001306.tif 000007
【図６】
2020001306.tif 000008